(57)【特許請求の範囲】
【請求項１】
駆動源と、前記駆動源によって駆動される可動物と、前記可動物の動きをガイドするガイド部とを備える遊技機であって、
前記可動部の前記ガイド部と対向する位置に設けられ、前記可動物を前記ガイド部に沿って可動させる摩擦軽減部材と、
前記可動物が所定の停止位置で停止するときに前記摩擦軽減部材に近接する位置に設けられ、前記可動物を前記所定の停止位置で保持する保持部と、を有し、
前記摩擦軽減部材および前記保持部は、少なくとも一方が磁石によって構成され、
前記摩擦軽減部材と前記保持部とが磁力によって吸引することによって前記可動部を前記所定の停止位置で保持することを特徴とする遊技機。
【発明の詳細な説明】
【技術分野】
【０００１】
本発明は遊技機に係り、特に、ガイド部に沿って摺動する扉等の可動物を備える遊技機に関する。
【背景技術】
【０００２】
このような遊技機としては、たとえば特許文献１に記載のようなものが知られている。特許文献１に記載の遊技機は、画像表示装置を備え、通常の状態では、左側扉および右側扉が画像表示装置の表示面を覆うようにして配置されたものとなっている。また、左側扉および右側扉は、それぞれガイドレールによって案内されて摺動できるようになっており、また、ガイドレールとの対向部にはローラを備えて構成されている。
【０００３】
そして、左側扉が左側へ、右側扉が右側へ摺動できる構成とすることにより、必要に応じ画像表示装置の表示面を現出させ、これにより遊技者は画像表示装置の表示面を目視できるようになっている。
【０００４】
このように、遊戯中に何らかのタイミングに合わせて、画像表示装置の表示面を遊技者に見せたり隠したりすることによって、遊技者に遊技の興趣を盛り上げるようになっている。
【先行技術文献】
【特許文献】
【０００５】
【特許文献１】特開２００４−３５０９８７号公報
【発明の概要】
【発明が解決しようとする課題】
【０００６】
このような遊技機において、左側扉および右側扉は、上述したように、ガイドレール上にローラを介して摺動できるようになっていることから、ガイドレールとの間の摩擦を軽減でき、それぞれの摺動は極めてスムーズに行い得るようになっている。
【０００７】
しかし、左側扉および右側扉のこのようなスムーズな摺動は、左側扉および右側扉を停止させる際、逆に、これら左側扉および右側扉は極めて動きやすい状態となっていることから、所定の位置に確実に停止させることが困難となる不都合が見いだされる。
【０００８】
この場合、たとえば、左側扉あるいは右側扉が移動範囲の終端にまで摺動した際に、左側扉あるいは右側扉の摺動を停止させるストッパ等を設けることが考えられる。しかし、極めて動き易い状態にある左側扉あるいは右側扉はストッパ等に衝突した際の反動でストッパ等から若干離れた位置で停止してしまうという問題が生じる。
【０００９】
なお、上述した不都合は、左側扉および右側扉がガイドレール上をローラを介して摺動する構成とするものばかりでなく、たとえばボール等（以下、このようなローラ、ボール等を摩擦軽減部材と称する場合がある）を介して摺動する構成としても同様に生じる。
【００１０】
本発明は、このような事情に基づいてなされたものであり、ガイド部上に摩擦軽減部材を介して摺動する可動物を所定の位置で確実に停止させることのできる遊技機を提供することにある。
【課題を解決するための手段】
【００１１】
本発明は、以下の構成によって把握することができる。
すなわち、本発明の遊技機は、駆動源と、前記駆動源によって駆動される可動物と、前記可動物の動きをガイドするガイド部とを備える遊技機であって、前記可動部の前記ガイド部と対向する位置に設けられ、前記可動物を前記ガイド部に沿って可動させる摩擦軽減部材と、前記可動物が所定の停止位置で停止するときに前記摩擦軽減部材に近接する位置に設けられ、前記可動物を前記所定の停止位置で保持する保持部と、を有し、前記摩擦軽減部材および前記保持部は、少なくとも一方が磁石によって構成され、前記摩擦軽減部材と前記保持部とが磁力によって吸引することによって前記可動部を前記所定の停止位置で保持する。
【００１２】
ここで、金属性部材からなる摩擦軽減部材を強磁性体で構成し、金属性の保持部を磁石で構成するようにしてもよい。また、金属性部材からなる摩擦軽減部材を磁石で構成し、金属性の保持部を強磁性体で構成してもよい。さらには、金属性部材からなる摩擦軽減部材および金属性の保持部をいずれも磁石で構成してもよい。
【００１３】
このように構成された遊技機は、可動物が所定の停止位置に摺動した際に、摩擦軽減部材（たとえば強磁性体によって形成されている）に近接する個所に該摩擦軽減部材を磁力によって吸引する部材（たとえば磁石）が配置されているから、磁力によって付勢された可動物は、他の力に影響されることなく、所定の位置に停止できるようになる。
【発明の効果】
【００１４】
本発明の遊技機によれば、ガイド部上を摩擦軽減部材を介して摺動する可動物を所定の位置で確実に停止させることができるようになる。
【図面の簡単な説明】
【００１５】
【図１】本発明の遊技機の実施態様を示す概略的な平面図である。
【図２】遊技盤の表示面を被って取り付けられる摺動扉機構であって、扉が閉じられた状態を示す図である。
【図３】遊技盤の表示面を被って取り付けられる摺動扉機構であって、扉が開けられた状態を示す図である。
【図４】図２に示した摺動扉機構のうち可動部のみを取り出して示した斜視図である。
【図５】図３に示した摺動扉機構のうち可動部のみを取り出して示した斜視図である。
【図６】ローラの扉に対する取り付け構造を示した図である。
【図７】図２に示した摺動扉機構のうち可動部のみを取り出して示した図である。
【図８】図３に示した摺動扉機構のうち可動部のみを取り出して示した図である。
【図９】本発明の遊技機の他の実施態様を示す図で、図２に示した摺動扉機構のうち一部をとり出して示した図である。
【図１０】図６に対応させて描画した図で、磁石の取り付け個所によって不都合が生じることを示した説明図である。
【図１１】図１０に対応させて描画した図で、本発明の遊技機の効果を示す説明図である。
【発明を実施するための形態】
【００１６】
以下、添付図面を参照して、本発明を実施するための形態（実施形態）について詳細に説明する。なお、実施形態の説明の全体を通して同じ要素には同じ番号を付している。
〈遊技機の概略構成〉
図１は、本発明の遊技機の実施態様を示す概略図であって、パチンコ遊技機の機枠に組み込まれる遊技盤１０を示した平面図である。
【００１７】
図１において、遊技盤１０の周辺の若干の領域を除く中央部は遊技領域１１となっている。遊技領域１１はほぼ円形のガイドレール１２に囲まれるように構成され、このガイドレール１２は、図中下側から左肩側にかけて外側レール１２Ａと内側レール１２Ｂを備え、パチンコ球を外側レール１２Ａと内側レール１２Ｂの間の通路を通して遊技領域１１の上方へ導くようになっている。パチンコ球は、図示しない機枠に取り付けられた操作レバーによって駆動される打槌機構によって、図中下側から外側レール１２Ａと内側レール１２Ｂの間の通路に発射されるようになっている。なお、遊技領域１１の上方から落下するパチンコ球は、後述する入賞口、始動口等に入賞したものを除いて、遊技領域１１の最下端位置に設けられアウト口１３を通して回収されるようになっている。
【００１８】
遊技盤１０の遊技領域１１のほぼ中央であって若干上側に偏位した位置に矩形状の開口１４が形成されている。遊技盤１０の裏面にはたとえば液晶表示器からなる画像表示装置１５が配置され、この画像表示装置１５の表示面１５Ａは前記開口１４を通して目視できるようになっている。画像表示装置１５は、たとえば、パチンコ遊技の最中においてインフォメーションを表示し、あるいは入賞の際にその興奮を盛り上げさせるような工夫がされた画像を表示するようになっている。
【００１９】
遊技盤１０の開口１４（表示面１５Ａ）には、これら開口１４（表示面１５Ａ）を覆うようにして摺動扉機構３０が配置されている。この摺動扉機構３０は、後に詳述するが、モータの駆動によって動く複数の摺動扉を備え、たとえば、後述の始動口１８にパチンコ球が入賞した場合に、そのタイミングに合わせてそれぞれの摺動扉が開く方向に摺動するようになっている。摺動扉機構３０におけるこのような摺動扉の動きは、いままで隠されていた画像表示装置１５の表示面１５Ａを現出させ、遊技者の興を向上させるようになっている。
【００２０】
遊技領域１１の画像表示装置１５の下部には、たとえば、表示面１５Ａ（開口１４）の下辺に沿い遊技者側に若干突出するステージ１６が設けられている。このステージ１６の上面はたとえば波状の円弧面となっており、その水平方向における中央部の下部には排出口１７が設けられている。パチンコ球は、表示面１５Ａ（開口１４）のたとえば左肩近傍からステージ１６に連結されるワープルート（図示せず）を通して該ステージ１６の上面に至る場合、パチンコ球はステージ１６の円弧面上を揺動しながら排出口１７に落下できるようになっている。
【００２１】
また、遊技領域１１の前記排出口１７の下部には、始動口１８が設けられており、この始動口１８の下方には大入賞口１９が設けられている。始動口１８にパチンコ球が入賞した際に、画像表示装置１５の画面上に表示されている特別図柄の変動が所定時間行われるようになっており、画像表示装置１５に複数の特別図柄が特定の停止表示態様で停止表示すると、大当たり遊技状態として、大入賞口扉１９Ａが予め定められた作動条件に従って開閉する。
【００２２】
なお、遊技領域１１には、上述した入賞口１７等の部材の他に、複数の傷害釘、風車等が散在されて設けられ、これら傷害釘、風車等に当たったパチンコ球は、その当たり方に応じた方向に落下できるようになっている。
【００２３】
なお、画像表示装置１５の表示面１５Ａにおける表示態様としては、たとえば、次に示す表示が揚げられる。すなわち、摺動扉機構３０の摺動扉が開き表示面１５Ａが現出された後、この表示面１５Ａに、水平な回転軸を有して並設された複数のドラムの周側面が映像されるようになっている。そして、摺動扉機構３０の摺動扉の開閉動作の前後で表示面１５Ａの表示態様を異なる表示態様に変更することによって内部抽選の結果を報知することができる。例えば、摺動扉を閉じる前はドラムを上下方向に回動させていたものを摺動扉が開いた後はドラムを左右方向に回動させるように表示する。また、摺動扉を閉じる前は平面的なドラムを表示していたものを摺動扉が開いた後はドラムを立体的に表示するようにしてもよい。このようにして、摺動扉の開閉動作によって内部抽選の結果を報知することができる。
〈摺動扉機構〉
図２は、遊技盤１０の表示領域１１の開口１４を被って取り付けられる摺動扉機構３０であって、扉が閉じられた状態を示す図である。図３は、図２に示した摺動扉機構３０であって、扉が開けられた状態を示す図である。また、図４は、図２に示した摺動扉機構３０のうち可動部のみを取り出した示した斜視図であり、図５は、図３に示した摺動扉機構３０のうち可動部のみを取り出して示した斜視図である。
【００２４】
まず、図２に示すよう、摺動扉機構３０の中央部に左側扉(可動部)３１および右側扉（可動部）３２が配置されている。図２では、左側扉３１および右側扉３２は、それぞれの右側辺と左側辺が互いに当接されて閉じられた状態となっている。この左側扉３１および右側扉３２には、それらが閉じられた状態で、完全な描画となるたとえば手のひら等が描かれている。左側扉３１および右側扉３２は、後述するように、それぞれ図中左側および図中右側に摺動することによって、開けることができ、これにより、画像表示装置１５の表示面１５Ａが現出されるようになり、遊技者は該表示面１５Ａを目視できるようになっている。
【００２５】
左側扉３１および右側扉３２の周囲には枠体３３を備え、この枠体３３には、図２に示すように、左側扉３１の摺動の際に左側扉３１を案内する左側扉ガイドレール(ガイド部)５１、右側扉３２の摺動の際に右側扉３２を案内する右側扉ガイドレール（ガイド部）５２、該左側扉３１および右側扉３２を摺動させる際の原動力となるモータ（駆動源）３４、および該モータ３４からの力を左側扉３１および右側扉３２へ伝導させる機構が備えられている。この機構については後に詳述する。
【００２６】
図３は、図２に示した摺動扉機構３０の状態から、左側扉３１が図中左側へ、右側扉３２が図中右側へ、それぞれ摺動した状態を示した図である。これにより、いままで左側扉３１および右側扉３２によって隠されていた画像表示装置１５の表示面１５Ａが、左側扉３１および右側扉３２のそれぞれの摺動によって現出されるようになる。
【００２７】
左側扉３１は、図２ないし図４に示すように、手前側に配置された第１左側扉３１Ａと奥側に配置された第２左側扉３１Ｂとで構成され、右側扉３２は、手前側に配置された第１右側扉３２Ａと奥側に配置された第２右側扉３２Ｂとで構成されている。そして、左側扉３１が開状態になる場合、まず、第１左側扉３１Ａが左側へ途中まで摺動した後、第２左側扉３１Ｂとともに左側終端まで移動するようになっている。そして、左側扉が閉状態になる場合、上述と逆の動きをするようになっている。同様に、右側扉３２が開状態になる場合、まず、第１右側扉３２Ａが右側へ途中まで摺動した後、第２左側扉３２Ｂとともに左側終端まで移動するようになっている。そして、右側扉３２が閉状態になる場合、上述と逆の動きをするようになっている。
【００２８】
左側扉３１および右側扉３２の上述した動きは、左側扉３１の場合を例に示すと、たとえば、第１左側扉３１Ａの第２左側扉３１Ｂ側の面に水平に延在する凹部を有するガイド部材（図示せず）が備えられ、第２左側扉３１Ｂの第１左側扉３１Ａ側の面に前記凹部に嵌合するピン（図示せず）を備える構成によってなされるようになっている。第１左側扉３１Ａが図中左側にある程度移動すると、第２左側扉３１Ｂのピンが凹部の右側端(遊技者側から観て)に当接し、第２左側扉３１Ｂは第１左側扉３１Ａとともに図中左側に移動するようになる。また、第１左側扉３１Ａが図中右側にある程度移動すると、第２左側扉３１Ｂのピンが凹部の左側端(遊技者側から観て)に当接し、第２左側扉３１Ｂは第１左側扉３１Ａとともに図中右側に移動するようになる。
【００２９】
左側扉３１および右側扉３２を、このように構成することによって、左側扉３１および右側扉３２を開けた状態における左側扉３１および右側扉３２が占める領域を狭くでき、その分、左側扉３１および右側扉３２から現出される画像表示装置１５の表示面１５の面積を大きくできる効果を奏する。
【００３０】
左側扉３１および右側扉３２は、左側扉３１および右側扉３２の下辺側において枠体３３に固定された左側扉ガイドレール５１、右側扉ガイドレール５２に案内されて摺動されるようになっている。
【００３１】
左側扉ガイドレール５１は、たとえば、左側扉３１の摺動範囲に対応した長さを有して形成され、右側扉ガイドレール５２は、右側扉３２の摺動範囲に対応した長さを有して形成されている。また、左側扉ガイドレール５１の左側扉３１と対向する面には、左側扉ガイドレール５１の長手方向に沿って凹部（図示せず）が形成され、右側扉ガイドレール５２の右側扉３２と対向する面には、左側扉ガイドレール５２の長手方向に沿って凹部（図示せず）が形成されている。そして、図４、図５に示すように、左側扉３１の下辺（左側扉ガイドレール５１と対向する辺）には複数のローラ６１Ａ、６１Ｂが並設されて取り付けられ、これらローラ６１Ａ、６１Ｂは左側扉ガイドレール５１の凹部に配置されるようになっている。
【００３２】
第１左側扉３１Ａには、摺動方向へ２列に並設されたローラ６１Ａを備え、これらローラ６１Ａを介して左側扉ガイドレール５１上を摺動し、第２左側扉３１Ｂも、摺動方向へ２列に並設されたローラ６１Ｂを備え、これらローラ６１Ｂを介して左側扉ガイドレール５１上を摺動するようになっている。同様に、右側扉３２の下辺（右側扉ガイドレール５２と対向する辺）にも複数のローラ６２Ａ、６２Ｂが並設されて取り付けられ、これらローラ６２Ａ、６２Ｂは右側扉ガイドレール５２の凹部に配置されるようになっている。第１右側扉３２Ａは、摺動方向へ２列に並設されたローラ６２Ａを備え、これらローラ６２Ａを介して右側扉ガイドレール５２上を摺動し、第２右側扉３２Ｂも、摺動方向へ２列に並設されたローラ６２Ｂを備え、これらローラ６２Ｂを介して右側扉ガイドレール５２上を摺動するようになっている。
【００３３】
ここで、ローラ６１Ａ、６１Ｂ、６２Ａ、６２Ｂの取り付け構造を、第１左側扉３１Ａの場合を例に挙げて、説明する。図６に示すように、第１左側扉３１Ａの下面の幅方向（紙面表裏方向）のほぼ中央に第１左側扉３１Ａの摺動方向に延在する支持板６５が固定され、この支持板６５の図中左右側の各端部において、ローラが取り付けられている。すなわち、支持板６５には、その延在方向（第１左側扉３１Ａの摺動方向）にローラが２列に並設されたローラ６１Ａを備えている。ローラ６１Ａは、その中心軸に沿って軸孔６３が形成された円筒形状によって構成されている。支持板６５の両端のそれぞれに支持板６５の表裏側にそれぞれ突出する軸６４が取り付けられ、それぞれのローラ６１Ａは、支持板６５の表裏側から、その軸孔６３に前記軸６４が挿入されることによって、支持板６５に回転自在に取り付けられている。図６では、第１左側扉３１Ａの場合を例に挙げて示したが、第２左側扉３１Ｂ、第１右側扉３２Ａ、第２右側扉３２Ｂにおいても同様となっている。
【００３４】
左側扉３１および右側扉３２に、このようなローラ６１Ａ、６１Ｂおよび６２Ａ、６２Ｂを設けることにより、左側扉３１と左側扉ガイドレール５１との間の摩擦および右側扉３２と右側扉ガイドレール５２との間の摩擦を大幅に低減させることができ、左側扉３１の左側扉ガイドレール５１上の摺動、および右側扉３２の右側扉ガイドレール５２上の摺動を極めて円滑に行われるようになっている。
【００３５】
つぎに、摺動扉機構３０の可動部の機構を、図４および図５を用いて、その動作とともに説明する。
【００３６】
まず、図４において、モータ３４があり、モータ３４の回転軸には原動車である歯車３５が取り付けられている。この歯車３５の回転は、たとえば３個の歯車３６、３７、３８からなる歯車列を介して、ピニオン３９に伝達されるようになっている。ピニオン３９の上側には、図中水平方向に延在し該ピニオン３９に噛合する第１ラック４０が配置されている。第１ラック４０は、ピニオン３９に対して図中左側に延在する部分を有し、この部分は少なくとも右側扉３２の開く際の摺動距離に対応した長さを有して形成されている。
【００３７】
また、第１ラック４０は、ピニオン３９に対して図中右側に延在する部分を有し、この部分は右側扉３２と連結部４０Ａを介して固定されるようになっている。第１ラック４０は、ピニオン３９の回転によって長手方向にスライドできるようになっている。ピニオン３９の下側には、図中左右方向に延在し該ピニオン３９と噛合する第２ラック４１が配置されている。第２ラック４１は、ピニオン３９に対して図中右側に延在する部分を有し、この部分は少なくとも左側扉３１の開く際の摺動距離に対応した長さを有して形成されている。また、第２ラック４１は、ピニオン３９に対して図中左側に延在する部分を有し、この部分は左側扉３１と連結部４１Ａを介して固定されるようになっている。なお、第２ラック４１は、ピニオン３９の回転によって長手方向にスライドできるようになっている。
【００３８】
このように構成された摺動扉機構３０は、モータ３４が図中時計回りの回転をすることにより、原動車からなる歯車３５、歯車３６、３７、３８からなる歯車列を介して、ピニオン３９が図中時計回りに回転するようになる。これにより、図５に示すように、第１ラック４０が図中右側にスライドし、連結部４０Ａを介して連結される右側扉３２は図中右側に摺動するようになる。また、第２ラック４１は図中左側にスライドし、連結部４１を介して連結される左側扉３１は図中左側に摺動するようになる。これにより、左側扉３１、右側扉３２は、いままで隠されていた画像表示装置１５の表示面１５Ａを現出させる方向に移動することになる。この実施態様では、一つのモータ３４によって、左側扉３１および右側扉３２を開方向に同時に摺動させることができ、左側扉３１（第１左側扉３１Ａ、第２左側扉３１Ｂ）の動きおよび右側扉３２（第１右側扉３２Ａ、第２右側扉３２Ｂ）の動きは互いに対称の関係となる。また、その後、モータ３４が図中反時計回りの回転をすることにより、歯車３５、３６、３７、３８を介して、ピニオン３９が図中反時計回りに回転するようになる。これにより、第１ラック４０が図中左側にスライドし、連結部４０Ａを介して連結される右側扉３２は図中左側に摺動するようになる。
【００３９】
また、第２ラック４１は図中右側にスライドし、連結部４１Ａを介して連結される左側扉３２は図中右側に摺動するようになる。これにより、左側扉３１、右側扉３２は、いままで露出されていた画像表示装置１５の表示面１５Ａを覆う方向に移動することになる。この場合も、一つのモータ３４によって、左側扉３１および右側扉３２を閉方向に同時に摺動させることができ、左側扉３１（第１左側扉３１Ａ、第２左側扉３１Ｂ）の動きおよび右側扉３２（第１右側扉３２Ａ、第２右側扉３２Ｂ）の動きは互いに対称の関係となる。
【００４０】
ここで、たとえば、図４に示すように、左側扉３１および右側扉３２が、それぞれ、右側辺と左側辺とが互いに当接して、閉じた状態となっている場合において、左側扉３１の下辺に取り付けられた複数のローラ６１のうち最も右側辺寄りにあるローラ６１Ａが所定の停止位置で停止するときにローラ６１Ａに近接する位置に第１磁石（保持部）７１が配置されている。第１磁石７１は、左側扉３１を所定の停止位置で保持するものであって、枠体３３に固定されて配置され、たとえば、前記ローラ６１Ａの図中右側に近接して配置されている。換言すると、前記ローラ６１Ａの移動の延長方向において前記ローラ６１Ａに近接して配置されている。これにより、左側扉３１が完全な閉状態となる終端位置の手前において、第１磁石７１は、強磁性体によって形成された前記ローラ６１Ａを磁力によって吸引し、左側扉３１を図中右側へ摺動させる付勢力を生じさせるようになっている。このため、閉じる方向に摺動された左側扉３１は、その終端位置に近接し該終端位置に至るまでの間、第１磁石７１による付勢力が働き、この付勢力によって、確実に、しかも安定して左側扉３１を所定の停止位置で保持することができる。
【００４１】
一方、左側扉３１および右側扉３２が、同様に、右側辺と左側辺とが互いに当接して、閉じた状態となっている場合において、左側扉３２の下辺に取り付けられた複数のローラ６２のうち最も左側辺寄りにあるローラ６２Ａが所定の停止位置で停止するときにローラ６２Ａに近接する位置に第２磁石（保持部）７２が配置されている。第２磁石７２は、右側扉３２を所定の停止位置で保持するものであって、枠体３３に固定されて配置され、たとえば、前記ローラ６２Ａの図中左側に近接して配置されている。換言すると、前記ローラ６２Ａの移動の延長方向において前記ローラ６１Ａに近接して配置されている。これにより、右側扉３２が完全な閉状態となる終端位置の手前において、第２磁石７２は、強磁性体によって形成された前記ローラ６２Ａを磁力によって吸引し、第１右側扉３２Ａを図中左側へ摺動させる付勢力を生じさせるようになっている。このため、右側扉３２は、その終端位置に近接し該終端位置に至るまでの間、第２磁石７２による付勢力が働き、この付勢力によって、確実に、しかも安定して右側扉３２を所定の停止位置で保持することができる。
【００４２】
このことから、左側扉３１は、その右側辺が右側扉３２の左側辺に完全に当接するまで摺動され、右側扉３２は、その左側辺が左側扉３１の右側辺に完全に当接するまで摺動されるようになり、左側扉３１と右側扉３２との間に隙間のない密接状態を実現させることができるようになる。
【００４３】
なお、図４および図５には、左側扉３１の図中左側に第１左側扉３１Ａの当接を検知するタッチセンサ９０が示されている。このタッチセンサ９０は、左側扉３１（および右側扉３２）の開状態を検知するようになっており、たとえば、このタッチセンサ９０からの出力に基づいて、画像表示装置１５の表示面１５Ａに映像を映し出すようになっている。
【００４４】
上述した実施態様では、第１左側扉３１Ａ、第１右側扉３２Ａのそれぞれの開閉における所定位置の停止は、モータの駆動制御等によって行っている。しかし、これに限定されることなく、第１左側扉３１Ａ、第１右側扉３２Ａのそれぞれの開閉における停止位置にストッパを設けるようにしてもよい。
【００４５】
たとえば、図９は、第１左側扉３１Ａ、第１右側扉３２Ａをそれぞれ閉状態とする際の、第１左側扉３１Ａ、第１右側扉３２Ａのそれぞれのストッパ８０を設けていることを示している。この場合のストッパ８０は第１左側扉側のストッパと第１右側扉側のストッパが共通のものとして構成されている。
【００４６】
第１左側扉３１Ａが図中右側に摺動してストッパ８０に当接することにより、第１左側扉３１Ａは予め定めた位置に停止し、第１右側扉３２Ａが左側に摺動してストッパ８０に当接することにより、第１右側扉３２Ａは予め定めた位置に停止するようになる。この場合、左側扉ガイドレール５１および右側扉ガイドレール上５２をローラ６１Ａ、６１Ｂ、６２Ａ、６２Ｂを介して摺動する第１左側扉３１Ａおよび第１右側扉３２Ａは、それぞれ、ストッパ８０に衝突した際の反動でストッパ８０から若干離れた位置で停止してしまい、第１左側扉３１Ａの右側辺と第１右側扉３２Ａの左側辺の間に隙間ができてしまうという問題が生じる。
【００４７】
しかし、たとえ、第１左側扉３１Ａがストッパ８０との間に上述した反発が生じようとしても、第１左側扉３１Ａのローラ６１Ａが第１磁石７１によってストッパ８０側へ吸引されることからストッパ８０に確実に当接して停止できるようになる。同様に、第１右側扉３２Ａがストッパ８０との間に上述した反発が生じようとしても、第１右側扉３２Ａのローラ６２Ａが第２磁石７２によってストッパ８０側へ吸引されることからストッパ８０に確実に当接して停止できるようになる。
【００４８】
そして、たとえば、第１左側扉３１Ａのローラ６１Ａを例に揚げると、図６に対応して描かれた図１０に示すように、ローラ６１Ａは、その中心に軸孔６３が形成されており、第１左側扉３１Ａに対して固定される軸６４に挿入されることによって、第１左側扉３１Ａに取り付けられるようになっている。この場合、ローラ６１Ａの軸孔６３の径は軸６４の径よりも大きく形成されているのが通常となる。このため、第１左側扉３１Ａが所定の停止位置にあるときに、ローラ６１Ａのたとえば直下の位置に第１磁石７１を配置させた場合、ローラ６１Ａの動きを抑制できるが、軸６４がローラ６１Ａの軸孔６３内で水平方向に移動できる状態となり、この動きが第１左側扉３１Ａの水平方向への移動として顕われ、第１左側扉３１Ａを所定の位置に停止させることができなくなるという問題がある。
そこで、図１１に示すように、第１左側扉３１Ａがストッパ８０に当接して第１左側扉３１Ａが所定の停止位置にある状態で、第１磁石（保持部）７１をローラ６１Ａと接触しない位置であって、かつ第１磁石の磁力がローラ６１Ａに届く位置に配置する。この構成により、ローラ６１Ａは常時第１磁石７１側に付勢され、ローラ６１Ａの軸孔６３に挿入される軸６４を所定の個所に正確に位置づけることができるようになる。このため、第１左側扉３１Ａを所定の位置に停止させることができるようになる。
【００４９】
なお、この実施態様では、第１左側扉３１Ａおよび第１右側扉３２Ａを閉める方向において第１左側扉３１Ａおよび第１右側扉３２Ａを停止させるストッパ８０を設けることについて示したものである。同様に、第１左側扉３１Ａおよび第１右側扉３２Ａを開ける方向において第１左側扉３１Ａおよび第１右側扉３２Ａを停止させるストッパを設けるようにしてもよい。
【００５０】
また、上記実施態様では、左側扉３１および右側扉３２を摺動させるのに、一つのモータ３４で行うようにしたものである。しかし、これに限定されることはなく、左側扉３１を駆動させるモータおよび右側扉３２を駆動させるモータを設け、それぞれのモータを独立に駆動させることによって左側扉３１および右側扉３２を摺動させるようにしてもよい。
【００５１】
また、上記実施態様では、左側扉３１および右側扉３２に、それぞれ、閉じる方向への摺動において、第１磁石７１および第２磁石７２によって付勢力を生じさせるようにしたものである。しかし、同様に、左側扉３１および右側扉３２に、それぞれ、開ける方向への摺動において、付勢力を生じさせるようにしてもよい。図７、図８は、左側扉３１および右側扉３２に、それぞれ、開ける方向への摺動において、付勢力を生じさせる構成を示した斜視図である。図７は、図４に対応し、左側扉３１および右側扉３２が閉められている状態を示す図であり、図８は、図５に対応し、左側扉３１および右側扉３２が開けられている状態を示す図である。
【００５２】
図８に示すように、左側扉３１および右側扉３２が、それぞれ、右側および左側に摺動し、開いた状態となっている場合において、左側扉３１の下辺に取り付けられた複数のローラ６１のうち最も左側辺寄りにあるローラ６１Ａに近接して第３磁石（保持部）７３が配置されている。第３磁石７３は、前記枠体３３に固定されて配置され、たとえば、前記ローラ６１Ａの図中左側に近接して配置されている。これにより、第３磁石７３は、強磁性体によって形成された前記ローラ６１Ａを磁力によって吸引し、左側扉３１を図中左側へ摺動させる付勢力を生じさせるようになっている。このため、開ける方向に摺動された左側扉３１は、その終端位置に近接し該終端位置に至るまで、第３磁石７３による付勢力が働き、確実に、しかも安定して左側扉３１を所定の停止位置で保持することができる。
【００５３】
一方、左側扉３１および右側扉３２が、同様に、それぞれ、右側および左側に摺動し、開いた状態となっている場合において、右側扉３２の下辺に取り付けられた複数のローラ６２のうち最も右側辺寄りにあるローラ６２Ａに近接して第４磁石（保持部）７４が配置されている。第４磁石７４は、前記枠体３３に固定されて配置され、たとえば、前記ローラ６２Ａの図中右側に近接して配置されている。これにより、第４磁石７４は、強磁性体によって形成された前記ローラ６２Ａを磁力によって吸引し、右側扉３２を図中右側へ摺動させる付勢力を生じさせるようになっている。このため、開ける方向に摺動された右側扉は、その終端位置に近づき該終端位置に至るまで、第４磁石による付勢力が働き、確実に、しかも安定して右側扉３２を所定の停止位置で保持することができる。
【００５４】
上述した実施態様では、磁石を枠体３３に固定させ、ローラ６１、６２をたとえば鉄等からなる強磁性体で形成することによって、磁石に近接するローラ６１、６２を磁力によって吸着するようにしたものである。これに限定されることはなく、これらの関係を逆にし、たとえば鉄等からなる強磁性体を枠体３３に固定させ、ローラを磁石で形成するようにしてもよい。このようにした場合でも、強磁性体に近接するローラを磁力によって吸引するようにできるからである。また、このような趣旨から、磁石を枠体３３に固定させ、ローラを前記磁石と極性の逆の磁石によって形成するようにしてもよい。同様の効果が得られるからである。
【００５５】
なお、このようにローラ６１Ａ、６１Ｂ、６２Ａ、６２Ｂを磁石で形成する場合、たとえばローラ６１、６２を軸支する軸等のように、ローラに近接して配置される部材はたとえば樹脂等の非金属等で構成することが好ましい。このようにした場合、枠体３３に固定され配置される強磁性体あるいは磁石等の相互のみの関係で磁力による吸引を発生せしめ、左側扉３１および右側扉３２の正確な位置での停止を実現させることができるからである。
【００５６】
また、上記実施態様において、左側扉３１は第１左側扉３１Ａと第２左側扉３２Ｂとからなる２個の扉で構成され、右側扉３２は第１右側扉３２Ａ３２Ｂと第２右側扉とからなる２個の扉で構成されたものである。しかし、左側扉３１は２個以上の数の扉で構成されていてもよく、また、１個であってもよく、同様に、右側扉３２は２個以上の数の扉で構成されていてもよく、また、１個であってもよい。さらに、扉は、画像表示装置１５の表示面１５Ａを覆う１個の扉で構成し、この扉が、一方向（たとえば左方向）に摺動して、表示面１５Ａを現出させる構成のものであってもよいことはもちろんである。いずれの場合であっても、本発明を適用させることができる。
【００５７】
上述した実施態様では、扉は、ガイドレールとの間にローラを介在させることによって、該ガイドレールに対する摩擦を低減させ、円滑な摺動を図るようにしたものである。しかし、摩擦軽減部材として、このようなローラに限定されることはなく、たとえばボール等のような他の部材であっても本発明で適用できることはいうまでもない。
【００５８】
上述した実施態様では、可動物として画像表示装置１５の前面に配置させた扉を例に挙げて示したが、可動物を画像表示装置１５の前面以外の領域に配置させることもできる。また、可動物は扉に限定されることはなく、他の可動物にも適用することができる。
【００５９】
上述した実施態様における遊技機はパチンコ機を例に挙げて説明したものである。しかし、パチンコ機に限定されることはなく、たとえばスロットマシーン等の他の遊技機にも適用することができる。
【００６０】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６１】
１０……遊技盤、１１……遊技領域、１２……ガイドレール、１２Ａ……外側レール、１２Ｂ……内側レール、１３……アウト口、１４……開口、１５……画像表示装置、１５Ａ……表示面、１６……ステージ、１７……排出口、１８……始動口、１９……大入賞口、１９Ａ……大入賞口扉、３０……摺動扉機構、３１……左側扉、３１Ａ……第１左側扉、３１Ｂ……第２左側扉、３２……右側扉、３２Ａ……第１右側扉、３２Ｂ……第２右側扉、３３……枠体、３４……モータ、３５、３６、３７、３８……歯車、３９……ピニオン、４０……第１ラック、４０Ａ……連結部、５１……左側扉ガイドレール、５２……右側扉ガイドレール、６１Ａ、６１Ｂ……ローラ（左側扉用）、６２Ａ、６２Ｂ……ローラ（右側扉用）、６３……軸孔、６５……支持板、７１……第１磁石、７２……第２磁石、７３……第３磁石、７４……第４磁石、８０……ストッパ、９０……タッチセンサ
【図１】
0005392211.tif 000002
【図２】
0005392211.tif 000003
【図３】
0005392211.tif 000004
【図４】
0005392211.tif 000005
【図５】
0005392211.tif 000006
【図６】
0005392211.tif 000007
【図７】
0005392211.tif 000008
【図８】
0005392211.tif 000009
【図９】
0005392211.tif 000010
【図１０】
0005392211.tif 000011
【図１１】
0005392211.tif 000012